(57)【要約】【課題】寝返りを打てるようになった後の赤ちゃん等に対しても容易に穿かせることが可能なおむつを提供する。【解決手段】おむつ１は、前側本体部１１と、後側本体部１２とを備えている。おむつ１の後側本体部１２からは左右側方に右側延伸部１３２および左側延伸部１４２が延伸し、それらからさらに左右方向に延伸する右側突出部１３１および左側突出部１４１の上には人体に対向する向きに第１のテープファスナー１３３および第２のテープファスナー１４３が設けられている。これらのテープファスナーは、前側本体部１１の外側上方部に設けられているテープパネルとの間で互いに固着可能となっている。前側本体部１１の内側下方部には第３のテープファスナー１６１が設けられており、後側本体部１２の外側下方部に設けられているテープパネルとの間で互いに固着可能となっている。【選択図】図１
2011072778.tif 000002
【特許請求の範囲】
【請求項１】
液体非浸透性を有する外側カバーと液体浸透性を有する内側カバーと前記外側カバーと前記内側カバーとの間に配置される吸水体とを備え、当該内側カバーが人体に対向する向きで人体の下腹部から股間部に至る範囲を覆うための前側本体部と、
液体非浸透性を有する外側カバーと液体浸透性を有する内側カバーと前記外側カバーと前記内側カバーとの間に配置される吸水体とを備え、当該内側カバーが人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の股間部から臀部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記前側本体部が人体を覆う状態で人体の股間部に位置する部分から後方に延伸する下部後方延伸部と、前記後側本体部と前記下部後方延伸部とを互いに着脱可能に固着する下部固着機構とを有する
おむつ。
【請求項２】
前記下部固着機構は、前記おむつが人体に装着された状態で、前記下部後方延伸部の人体に対向する面上に設けられたフック面もしくはループ面と、前記後側本体部の人体に対向しない面上に設けられ前記フック面もしくはループ面と互いに固着するループ面もしくはフック面とからなる面ファスナーを有する
請求項１に記載のおむつ。
【請求項３】
液体非浸透性を有する外側カバーと液体浸透性を有する内側カバーと前記外側カバーと前記内側カバーとの間に配置される吸水体とを備え、当該内側カバーが人体に対向する向きで人体の下腹部から股間部に至る範囲を覆うための前側本体部と、
液体非浸透性を有する外側カバーと液体浸透性を有する内側カバーと前記外側カバーと前記内側カバーとの間に配置される吸水体とを備え、当該内側カバーが人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の下腹部から股間部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記後側本体部が人体を覆う状態で人体の股間部に位置する部分から前方に延伸する下部前方延伸部と、前記前側本体部と前記下部前方延伸部とを互いに着脱可能に固着する下部固着機構とを有する
おむつ。
【請求項４】
前記下部固着機構は、前記おむつが人体に装着された状態で、前記下部前方延伸部の人体に対向する面上に設けられたフック面もしくはループ面と、前記前側本体部の人体に対向しない面上に設けられ前記フック面もしくはループ面と互いに固着するループ面もしくはフック面とからなる面ファスナーを有する
請求項３に記載のおむつ。
【請求項５】
前記下側連結部による連結により前記前側本体部と前記後側本体部とが互いに接する範囲内のいずれかの位置において、前記前側本体部の前記内側カバーもしくは前記後側本体部の前記内側カバーから人体に対向する方向に延伸する、当該内側カバーによりカバーされている吸水体により吸収された液体の漏出を防止するためのガードを備える
請求項１乃至４のいずれかに記載のおむつ。
【請求項６】
人体に対向する向きで人体の下腹部から股間部に至る範囲を覆うための前側本体部と、
人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の股間部から臀部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記前側本体部が人体を覆う状態で人体の股間部に位置する部分から後方に延伸する下部後方延伸部と、前記後側本体部と前記下部後方延伸部とを互いに着脱可能に固着する下部固着機構とを有する
おむつカバー。
【請求項７】
前記下部固着機構は、前記おむつカバーが人体に装着された状態で、前記下部後方延伸部の人体に対向する面上に設けられたフック面もしくはループ面と、前記後側本体部の人体に対向しない面上に設けられ前記フック面もしくはループ面と互いに固着するループ面もしくはフック面とからなる面ファスナーを有する
請求項６に記載のおむつカバー。
【請求項８】
人体に対向する向きで人体の下腹部から股間部に至る範囲を覆うための前側本体部と、
人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の下腹部から股間部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記後側本体部が人体を覆う状態で人体の股間部に位置する部分から前方に延伸する下部前方延伸部と、前記前側本体部と前記下部前方延伸部とを互いに着脱可能に固着する下部固着機構とを有する
おむつカバー。
【請求項９】
前記下部固着機構は、前記おむつカバーが人体に装着された状態で、前記下部前方延伸部の人体に対向する面上に設けられたフック面もしくはループ面と、前記前側本体部の人体に対向しない面上に設けられ前記フック面もしくはループ面と互いに固着するループ面もしくはフック面とからなる面ファスナーを有する
請求項８に記載のおむつカバー。
【請求項１０】
前記前側本体部もしくは前記後側本体部の人体に対向する面上に、前記おむつカバーが人体に装着された状態で前記おむつカバーと人体との間に配置されるべき吸水シートを前記前側本体部もしくは前記後側本体部に固着させるための固着部を有する
請求項６乃至９のいずれかに記載のおむつカバー。
【請求項１１】
人体に装着された状態において人体の下腹部から股間部に至る範囲を覆い人体から排泄される小便を吸収するための第１の部分と、人体に装着された状態において人体の臀部から股間部に至る範囲を覆い人体から排泄される大便を捕捉するための第２の部分とを備える吸水シートであって、
前記吸水シートのみでは人体に装着不可能である
吸水シート。
【請求項１２】
前記第１の部分の単位面積当たりの吸水能力が、前記第２の部分の単位面積当たりの吸水能力より高い
請求項１１に記載の吸水シート。
【請求項１３】
前記第２の部分に形成される凹部の容積が前記第１の部分に形成される凹部の容積よりも大きい
請求項１１または１２に記載の吸水シート。
【請求項１４】
装着時に人体に対向しない側の面上に粘着性を有する粘着部を備える
請求項１１乃至１３のいずれかに記載の吸水シート。
【発明の詳細な説明】
【技術分野】
【０００１】
本発明は、例えば、乳幼児、高齢者、もしくは病人に使用されるおむつに関する。
【背景技術】
【０００２】
おむつには、一般に、１枚のシート状のものを立体的に組み立てて使用するいわゆるテープタイプのものと、最初からパンツ状に成形されているいわゆるパンツタイプのものがある。
【０００３】
例えば、仰向けに寝た状態の赤ちゃんにテープタイプのおむつを穿かせる手順は、以下の様なものである。
【０００４】
先ず、赤ちゃんのおしりの下に手を入れておしりを浮かせ、おむつの一部をおしりの下に入れる。次に、赤ちゃんの両足を開きおむつのお腹側を足回りに隙間ができないように、引き上げるような感じで身体に沿わせる。そして、お腹にあてたおむつの端が折れないように片手で押さえながら、テープを引っ張って左右が対称になるように貼り付ける。
【０００５】
そのようなテープタイプのおむつは、特許文献１等に開示されている。
【先行技術文献】
【特許文献】
【０００６】
【特許文献１】特開２００９−１５３５５８号公報
【発明の概要】
【発明が解決しようとする課題】
【０００７】
赤ちゃんが自力で寝返りを打てるようになると、赤ちゃんは仰向けの状態でじっとしていないので、上記の手順でテープタイプのおむつを穿かせることは、なかなか大変な場合もある。
【０００８】
赤ちゃんが立てるようになった後は、赤ちゃんをつかまり立ちの状態にしてパンツタイプのおむつを穿かせる方法も一般に行われているが、この方法では赤ちゃんの足を１本１本おむつの孔に通していかなければならないので、やはり大変である。
【０００９】
そこで、本発明は、寝返りを打てるようになった後の赤ちゃん等に対しても容易に穿かせることが可能なおむつを提供することを目的とする。
【課題を解決するための手段】
【００１０】
本発明は、上記の目的に鑑みて想到されたものであり、
液体非浸透性を有する外側カバーと液体浸透性を有する内側カバーと前記外側カバーと前記内側カバーとの間に配置される吸水体とを備え、当該内側カバーが人体に対向する向きで人体の下腹部から股間部に至る範囲を覆うための前側本体部と、
液体非浸透性を有する外側カバーと液体浸透性を有する内側カバーと前記外側カバーと前記内側カバーとの間に配置される吸水体とを備え、当該内側カバーが人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の股間部から臀部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記前側本体部が人体を覆う状態で人体の股間部に位置する部分から後方に延伸する下部後方延伸部と、前記後側本体部と前記下部後方延伸部とを互いに着脱可能に固着する下部固着機構とを有する
おむつを提供する（第１の実施態様）。
【００１１】
また、上記の第１の実施態様において、
前記下部固着機構は、前記おむつが人体に装着された状態で、前記下部後方延伸部の人体に対向する面上に設けられたフック面もしくはループ面と、前記後側本体部の人体に対向しない面上に設けられ前記フック面もしくはループ面と互いに固着するループ面もしくはフック面とからなる面ファスナーを有する
構成を採用してもよい（第２の実施態様）。
【００１２】
また、本発明は、
液体非浸透性を有する外側カバーと液体浸透性を有する内側カバーと前記外側カバーと前記内側カバーとの間に配置される吸水体とを備え、当該内側カバーが人体に対向する向きで人体の下腹部から股間部に至る範囲を覆うための前側本体部と、
液体非浸透性を有する外側カバーと液体浸透性を有する内側カバーと前記外側カバーと前記内側カバーとの間に配置される吸水体とを備え、当該内側カバーが人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の下腹部から股間部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記後側本体部が人体を覆う状態で人体の股間部に位置する部分から前方に延伸する下部前方延伸部と、前記前側本体部と前記下部前方延伸部とを互いに着脱可能に固着する下部固着機構とを有する
おむつを提供する（第３の実施態様）。
【００１３】
また、上記の第３の実施態様において、
前記下部固着機構は、前記おむつが人体に装着された状態で、前記下部前方延伸部の人体に対向する面上に設けられたフック面もしくはループ面と、前記前側本体部の人体に対向しない面上に設けられ前記フック面もしくはループ面と互いに固着するループ面もしくはフック面とからなる面ファスナーを有する
構成を採用してもよい（第４の実施態様）。
【００１４】
また、上記の第１乃至４のいずれかの実施態様において、
前記下側連結部による連結により前記前側本体部と前記後側本体部とが互いに接する範囲内のいずれかの位置において、前記前側本体部の前記内側カバーもしくは前記後側本体部の前記内側カバーから人体に対向する方向に延伸する、当該内側カバーによりカバーされている吸水体により吸収された液体の漏出を防止するためのガードを備える
構成を採用してもよい（第５の実施態様）
【００１５】
また、本発明は、
人体に対向する向きで人体の下腹部から股間部に至る範囲を覆うための前側本体部と、
人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の股間部から臀部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記前側本体部が人体を覆う状態で人体の股間部に位置する部分から後方に延伸する下部後方延伸部と、前記後側本体部と前記下部後方延伸部とを互いに着脱可能に固着する下部固着機構とを有する
おむつカバーを提供する（第６の実施態様）。
【００１６】
また、上記の第６の実施態様において、
前記下部固着機構は、前記おむつカバーが人体に装着された状態で、前記下部後方延伸部の人体に対向する面上に設けられたフック面もしくはループ面と、前記後側本体部の人体に対向しない面上に設けられ前記フック面もしくはループ面と互いに固着するループ面もしくはフック面とからなる面ファスナーを有する
構成を採用してもよい（第７の実施態様）。
【００１７】
また、本発明は、
人体に対向する向きで人体の下腹部から股間部に至る範囲を覆うための前側本体部と、
人体に対向する向きで人体の臀部から股間部に至る範囲を覆うための後側本体部と、
前記前側本体部および前記後側本体部が人体を覆う状態で、前記前側本体部と前記後側本体部を人体のウェスト部右側面において互いに連結する右側連結部と、
前記前側本体部および前記後側本体部が人体を覆う状態で、前記前側本体部と前記後側本体部を人体のウェスト部左側面において互いに連結する左側連結部と、
前記前側本体部および前記後側本体部が人体を覆う状態で、前記前側本体部と前記後側本体部を人体の下腹部から股間部に至る範囲のいずれかにおいて互いに連結する下側連結部と
を備え、
前記右側連結部および前記左側連結部の少なくとも一方は、前記後側本体部が人体を覆う状態で人体のウェスト部側面に位置する部分から前方に延伸する側部前方延伸部と、前記前側本体部と前記側部前方延伸部とを互いに着脱可能に固着する側部固着機構とを有し、
前記下側連結部は、前記後側本体部が人体を覆う状態で人体の股間部に位置する部分から前方に延伸する下部前方延伸部と、前記前側本体部と前記下部前方延伸部とを互いに着脱可能に固着する下部固着機構とを有する
おむつカバーを提供する（第８の実施態様）。
【００１８】
また、上記の第８の実施態様において、
前記下部固着機構は、前記おむつカバーが人体に装着された状態で、前記下部前方延伸部の人体に対向する面上に設けられたフック面もしくはループ面と、前記前側本体部の人体に対向しない面上に設けられ前記フック面もしくはループ面と互いに固着するループ面もしくはフック面とからなる面ファスナーを有する
構成を採用してもよい（第９の実施態様）。
【００１９】
また、上記の第６乃至第９の実施態様のいずれかにおいて、
前記前側本体部もしくは前記後側本体部の人体に対向する面上に、前記おむつカバーが人体に装着された状態で前記おむつカバーと人体との間に配置されるべき吸水シートを前記前側本体部もしくは前記後側本体部に固着させるための固着部を有する
構成を採用してもよい（第１０の実施態様）。
【００２０】
また、本発明は、
人体に装着された状態において人体の下腹部から股間部に至る範囲を覆い人体から排泄される小便を吸収するための第１の部分と、人体に装着された状態において人体の臀部から股間部に至る範囲を覆い人体から排泄される大便を捕捉するための第２の部分とを備える吸水シートであって、
前記吸水シートのみでは人体に装着不可能である
吸水シートを提供する（第１１の実施態様）。
【００２１】
また、上記の第１１の実施態様において、
前記第１の部分の単位面積当たりの吸水能力が、前記第２の部分の単位面積当たりの吸水能力より高い
構成を採用してもよい（第１２の実施態様）。
【００２２】
また、上記の第１１または第１２の実施態様において、
前記第２の部分に形成される凹部の容積が前記第１の部分に形成される凹部の容積よりも大きい
構成を採用してもよい（第１３の実施態様）。
【００２３】
また、上記の第１１乃至第１２の実施態様のいずれかにおいて、
装着時に人体に対向しない側の面上に粘着性を有する粘着部を備える
構成を採用してもよい（第１４の実施態様）。
【発明の効果】
【００２４】
本発明の第１の実施態様にかかるおむつもしくは第６の実施態様にかかるおむつカバーによれば、上述の後側本体部と下部後方延伸部とを互いに着脱可能に固着する下部固着機構を有するので、例えばはいはいをして逃げようとする赤ちゃんや立った状態の赤ちゃんにおむつまたはおむつカバー（以下、「おむつ等」という）を取り付ける作業が容易となる。具体的には、四つん這いもしくは立った状態の赤ちゃんのウェスト部両側面を固着させた状態で、下部後方延伸部を赤ちゃんの股の下の前側から後側へと引っ張り上げて後側本体部に押しつけて固着させればよい。そのため、例えばおむつ等の取り付けの途中で赤ちゃんがはいはいをして逃げようとしても、おむつ等の取り付け作業が容易である。
【００２５】
本発明の第２の実施態様にかかるおむつもしくは第７の実施態様にかかるおむつカバーによれば、上述の下部固着機構が面ファスナーを備えているので、おむつ等の取り付け作業がさらに容易となる。
【００２６】
本発明の第３の実施態様にかかるおむつもしくは第８の実施態様にかかるおむつカバーによれば、上述の前側本体部と下部前方延伸部とを互いに着脱可能に固着する下部固着機構を有するので、例えば立った状態の赤ちゃんにおむつ等を取り付ける作業が容易となる。具体的には、立った状態の赤ちゃんのウェスト部両側面を固着させた状態で、下部前方延伸部を赤ちゃんの股の下の後側から前側へと引っ張り上げて前側本体部に押しつけて固着させればよい。このように、おむつ等の取り付け作業が容易である。
【００２７】
本発明の第４の実施態様にかかるおむつもしくは第９の実施態様にかかるおむつカバーによれば、上述の下部固着機構が面ファスナーを備えているので、おむつ等の取り付け作業がさらに容易となる。
【００２８】
本発明の第５の実施態様にかかるおむつによれば、上述の内側カバーから延伸するガードを備えているので、上述の吸水体により吸収された液体の漏出を防止することができる。具体的には、本発明にかかるおむつは前側本体部と後側本体部とが一体に成形されておらず、着用時に前側本体部と後側本体部とを固着させる構成となっているので、当該前側本体部と後側本体部との隙間から液体が漏出することを防止するために当該ガードが有効である。
【００２９】
本発明の第１０の実施態様にかかるおむつカバーによれば、吸水シートをおむつカバーに固定した後におむつカバーを赤ちゃん等に装着できるため、単に吸水シートをおむつカバーと人体との間に挟み込む場合と比較し、それらの装着作業が容易に行える。また、装着後に吸水シートがずれにくい。
【００３０】
本発明の第１１の実施態様にかかる吸水シートによれば、本発明の第６乃至第１０の実施態様のいずれかにかかるおむつカバーとともに利用されることにより、従来の使い捨ておむつと比較して低コスト、省資源、少ないゴミ量の使い捨ておむつが実現される。
【００３１】
本発明の第１２の実施態様にかかる吸水シートによれば、高い小便の吸収能力を備えた吸水シートが得られる。
【００３２】
本発明の第１３の実施態様にかかる吸水シートによれば、高い大便の捕捉能力を備えた吸水シートが得られる。
【００３３】
本発明の第１４の実施態様にかかる吸水シートによれば、例えばおむつカバーの内側面に粘着部を固定することで、装着時にずれにくい吸水シートが得られる。
【図面の簡単な説明】
【００３４】
【図１】図１は、本発明の第１実施形態にかかるおむつの人体に対向する側を表す平面図である。
【図２】図２は、本発明の第１実施形態にかかるおむつの人体に対向しない側を表す平面図である。
【図３】図３は、本発明の第１実施形態にかかるおむつの断面図である。
【図４】図４は、本発明の第１実施形態にかかるおむつの組立て状態を表す外観図である。
【図５】図５は、本発明の第２実施形態にかかるおむつカバーの人体に対向する側を表す平面図である。
【図６】図６は、本発明の第２実施形態にかかるおむつカバーの人体に対向しない側を表す平面図である。
【図７】図７は、本発明の第２実施形態にかかる吸水シートの人体に対向する側を表す平面図である。
【図８】図８は、本発明の第２実施形態にかかる吸水シートの断面図である。
【図９】図９は、本発明の第２実施形態にかかるおむつカバーおよび吸水シートの組立て状態を表す外観図である。
【発明を実施するための形態】
【００３５】
（第１実施形態）
以下、本発明の一具体例である第１実施形態を、図面を用いて説明する。なお、本実施形態にかかるおむつ１は、本発明を使い捨て用の紙おむつに適用したものである。
【００３６】
図１は、本実施形態にかかるおむつ１の人体に対向する側を表した平面図である。また、図２は、本実施形態にかかるおむつ１の人体に対向しない側を表した平面図である。
【００３７】
おむつ１は、前側本体部１１と、後側本体部１２と、前側本体部１１に設けられたガード１７と、右側連結部と、左側連結部と、下側連結部とを備えている。
【００３８】
前側本体部１１は、液体非浸透性を有する第１の外側カバー１１１と、液体浸透性を有する第１の内側カバー１１２と、第１の外側カバー１１１と第１の内側カバー１１２との間に配置される第１の吸水体１１３とを備えている。
【００３９】
前側本体部１１からは、人体に取り付けられる際の下側の部分から下向きに延伸する下部後方延伸部が連結されている。本実施形態においては、この下部後方延伸部が人体における股の下を通って後側本体部１２の上に押し当てられ、下側連結部により固着され、前側本体部１１と後側本体部１２とが連結されるようになっている。
【００４０】
第１の外側カバー１１１は、液体非浸透性を有するが、第１の吸水体１１３から蒸気を外側へ排出することができるように非常に微小な孔が多数設けられている。なお、第１の外側カバー１１１は、着用時に人体にフィットするとともに見栄えを良くするために、できるだけ薄いことが望ましい。第１の外側カバー１１１の素材としては、例えば紙や不織布などが採用可能である。
【００４１】
第１の内側カバー１１２は、液体浸透性を有するが、着用時に比較的乾いた感触を与えるように、第１の吸水体１１３よりも親水性が低い素材を使用している。なお、第１の内側カバー１１２は、人体に刺激を与えないように、ソフトなものであることが望ましい。第１の内側カバー１１２の素材としても、例えば紙や不織布などが採用可能である。
【００４２】
図３（ａ）は、図１のＡ−Ａ線矢視断面図である。第１の吸水体１１３は、図３（ａ）に示されるように、第１の外側カバー１１１と第１の内側カバー１１２との間に配置されている。また、第１の吸水体１１３は、例えば吸水ポリマー等の吸水性の非常に高い素材で作られた多数の粒子を吸水性の高い紙もしくは不織布の間に挟み込んで構成されている。そのような構成により、第１の吸水体１１３は、人体から排出された液体を吸収貯蔵するという機能を有する。
【００４３】
後側本体部１２は、液体非浸透性を有する第２の外側カバー１２１と、液体浸透性を有する第２の内側カバー１２２と、第２の外側カバー１２１と第２の内側カバー１２２との間に配置される第２の吸水体１２３とを備えている。
【００４４】
後側本体部１２は、その基本的な構成が前側本体部１１と同じである。後側本体部１２の形状が前側本体部１１の形状と大きく異なる点は、上述のようにおむつ１の着用時に前側本体部１１から延伸する下部後方延伸部を人体の股の下を通して巻き付けるように後側本体部１２に固着させるので、後側本体部１２の下側の下方向の長さが前側本体部１１の下側の下方向の長さよりも短いという点である。
【００４５】
右側連結部は、後側本体部１２における人体のウェスト部右側に延伸する右側延伸部１３２と、右側延伸部１３２の内部に挟み込まれるようにして貼り付けられており右方向に突出する右側突出部１３１と、右側突出部１３１上に設けられる第１のテープファスナー１３３と、前側本体部１１における人体に対して上側の腰回りの位置でありかつ第１の外側カバー１１１の上面に設けられている第１のテープパネル１５の右側領域とにより構成される。
【００４６】
ここで、右側延伸部１３２と右側突出部１３１とが、右側部前方延伸部を構成する。また、第１のテープファスナー１３３と第１のテープパネル１５の右側領域とが、右側部固着機構を構成する。
【００４７】
すなわち、右側連結部は、後側本体部１２が人体を覆う状態で人体のウェスト部右側面に位置する部分から前方に延伸する上述の右側部前方延伸部と、前側本体部１１と当該右側部前方延伸部とを互いに着脱可能に固着する右側部固着機構とにより構成されている。
【００４８】
右側突出部１３１は、Ｔ字形状を有し、Ｔの上のバーの部分が右側延伸部１３２の人体に対して縦方向に平行となり、かつＴの下向きのバーが人体に対して右側に突出するように配置されている。
【００４９】
右側突出部１３１において右側延伸部１３２から右側に突出した部分の人体に対向する側の面上には、第１のテープファスナー１３３が設けられている。第１のテープファスナー１３３と第１のテープパネル１５の右側領域とは、面ファスナーを構成する。具体的には、第１のテープファスナー１３３の表面がフック状に起毛され、第１のテープパネル１５の右側領域の表面がループ状に起毛されて、両面を押し付けることにより両者が固着される。
【００５０】
左側連結部は、上述の右側連結部と人体に対して左右対称の位置に設けられたものであり、左側延伸部１４２と、左側突出部１４１と、第２のテープファスナー１４３と、第１のテープパネル１５の左側領域とから構成される。
【００５１】
ここで、左側延伸部１４２と左側突出部１４１とが、第２の前方延伸部を構成する。
【００５２】
左側突出部１４１上に第２のテープファスナー１４３が設けられ、第２のテープファスナー１４３と第１のテープパネル１５の左側領域とが左側部固着機構を構成する点は、上述の右側部固着機構の場合と同様である。
【００５３】
なお、第１のテープパネル１５は、図２に示されるように、例えば長方形状のテープとして第１の外側カバー１１１の所定の位置に貼り付けられる。
【００５４】
また、上述の右側連結部および左側連結部は、例えば紙もしくは不織布等の天然素材を主原料として作られている。なお、第１のテープファスナー１３３もしくは第２のテープファスナー１４３は、何らかの天然素材でつくられていることが望ましいが、合成樹脂等の非天然素材を含んでいてもよい。
【００５５】
下側連結部は、前側本体部１１から人体に対して下側に延伸する上述の下部後方延伸部と、当該下部後方延伸部の人体に対向する側の面上に設けられている第３のテープファスナー１６１と、後側本体部１２の人体に対向しない側の面上、すなわち第２の外側カバー１２１上に設けられている第２のテープパネル１６２とを備えている。
【００５６】
なお、下側連結部は、例えば紙もしくは不織布等の天然素材を主原料として作られている。また、第３のテープファスナー１６１も、何らかの天然素材でつくられていることが望ましいが、合成樹脂等の非天然素材を含んでいてもよい。
【００５７】
第３のテープファスナー１６１は、人体に対して横に細長い長方形状を有し、上述の下部後方延伸部の所定の位置に貼り付けられている。
【００５８】
第２のテープパネル１６２は、人体に対して横に細長い長方形状を有し、第２の外側カバー１２１の人体に対して下側の位置に貼り付けられている。
【００５９】
第３のテープファスナー１６１の表面がフック状に起毛され、第２のテープパネル１６２の表面がループ状に起毛されて、両者が押しつけられて固着する機構を有しているのは、上述の右側連結部および左側連結部の場合と同様である。
【００６０】
すなわち、上述の下側連結部は、前側本体部１１が人体を覆う状態で人体の股間部に位置する部分から後方に延伸する下部後方延伸部と、後側本体部１２と上述の下部後方延伸部とを互いに着脱可能に固着する下部固着機構を有している。具体的には、第３のテープファスナー１６１と第２のテープパネル１６２とが、当該下部固着機構を構成する。
【００６１】
後述するように、上述の下部後方延伸部は、おむつ１を着用する際に、人体における股の下を通して股間部から臀部に至る範囲のいずれかにおいて後側本体部１２の上すなわち第２の外側カバー１２１上に固着される。
【００６２】
図３（ｂ）は、図１のＢ−Ｂ線矢視断面図である。ガード１７は、図１および図３（ｂ）に示されるように、第１の内側カバー１１２の下側の外縁部（第１の内側カバー１１２が第１の吸水体１１３の下側の外縁部に接している部分）に沿って第１の内側カバー１１２から人体に対向する側に延伸するギャザーもしくはフリル状のものである。すなわち、おむつ１着用時にガード１７が弱い弾性力を持って人体側に押しつけられることにより、第１の吸水体１１３によって吸収された液体の漏出を防止することが可能となる。
【００６３】
上述のガード１７に加え、図１に示されるように、第１の内側カバー１１２の左右の外縁部と、第１の内側カバー１１２が第１の吸水体１１３の左右の外縁部に接している部分との各々に沿って、第１の内側カバー１１２から人体に対向する側に延伸するギャザーもしくはフリル状のガードが設けられている。
【００６４】
さらに、図１に示されるように、第２の内側カバー１２２の左右および下側の外縁部と、第２の内側カバー１２２が第２の吸水体１２３の左右の外縁部に接している部分との各々に沿って、第２の内側カバー１２２から人体に対向する側に延伸するギャザーもしくはフリル状のガードが設けられている。
【００６５】
なお、ガード１７および上述のガードは、例えば紙もしくは不織布を主原料として作られており、おむつ１を着用していない状態で、人体に向かう方向に多数の襞を有し、着用時にはその襞が伸びて人体にフィットしつつ液体の漏出を防ぐ。
【００６６】
以上のような構成を有することにより、おむつ１は、例えば自力で立ち始めた赤ちゃんに対して、例えばお母さんにより、以下のように使用することができる。
【００６７】
先ず、お母さんは、第１のテープファスナー１３３のみが第１のテープパネル１５の右側領域に固着した状態のおむつ１を用意する。この際、赤ちゃんの体形を十分に考慮して、第１のテープファスナー１３３を第１のテープパネル１５の適切な位置に固着させる。もしくは、おむつの製造の段階において第１のテープファスナー１３３のみを第１のテープパネル１５の右側領域の適当な位置に固着し、その状態のおむつ１が販売されてもよい。その場合、お母さんは、購入した状態のおむつ１をそのまま用いて、もしくは必要に応じて第１のテープファスナー１３３と第１のテープパネル１５との固着位置を修正した後、以下の動作を行うことになる。
【００６８】
例えばお母さんは、自分と同じ向きに赤ちゃんをつかまり立ちさせ、さきほど用意したおむつ１の前側本体部１１および後側本体部１２が各々、赤ちゃんの下腹部および臀部を覆うように、赤ちゃんの右側からおむつ１をあてがう。その状態で、左側延伸部１４２を赤ちゃんの左側後方から赤ちゃんの左前方に引っ張りながら、第２のテープファスナー１４３を第１のテープパネル１５の左側領域に固着させる。その結果、赤ちゃんの身体の前側に前側本体部１１がぶら下がり、赤ちゃんの身体の後側に後側本体部１２がぶら下がることになる。
【００６９】
次に、後側本体部１２の下側の部分を赤ちゃんの股の下の前側に押しやりつつ、前側本体部１１から下側に延伸している下部後方延伸部を赤ちゃんの股の下を通して前側から後側に巻き付けるようにして引っ張り上げ、第３のテープファスナー１６１を第２のテープパネル１６２に押し当てて固着する。
【００７０】
この場合、赤ちゃんが嫌がり、前のめりに四つん這いになったとしても、上述の下部後方延伸部を上に引き上げながら赤ちゃんのおしりに押し付ける作業は、さほど困難ではない。
【００７１】
以上のようにして赤ちゃんの身体に取り付けられたおむつ１は、図４に示されるような外観を呈する。なお、図４（ａ）は赤ちゃんの前側から見た図であり、図４（ｂ）は後側から見た図である。
【００７２】
上述した実施形態は、本発明の技術的思想の範囲内で様々に変形が可能である。
【００７３】
例えば、上述の右側連結部および左側連結部は、それぞれが前側本体部１１と後側本体部１２とにおいて両者が互いに着脱可能な側部固着機構を有するものとしたが、この側部固着機構は右側連結部および左側連結部のいずれか一方にのみ設けられ、他方は最初から前側本体部１１と後側本体部１２とが一体に成形されその部分において連続していてもよい。その場合、使用後のおむつを赤ちゃんから取り外す時に一体に成形されている側の連結部を容易に手で引きちぎることが可能なように、その連結部に例えば縦方向にミシン線を入れる構成であることが望ましい。
【００７４】
また、第１の内側カバー１１２および第２の内側カバー１２２からは人体に対向する方向に複数のガードが設けられるものとしたが、これらの数は任意に変更可能である。なお、ガード１７は前側本体部１１と後側本体部１２との連結部分から第１の吸水体１１３に吸収されている液体が漏出することを防ぐために設けられていることが望ましいが、使用上特に問題がなければ、ガード１７が設けられなくてもよい。
【００７５】
また、前側本体部１１の下側から延伸する下部後方延伸部を設けて、当該下部後方延伸部が人体における股の下を通して股間部から臀部に至る範囲のいずれかにおいて後側本体部１２の上すなわち第２の外側カバー１２１上に固着されるものとしたが、下部後方延伸部に代えて、後側本体部１２の下側から延伸する下部前方延伸部を設けて、当該下部前方延伸部が人体における股の下を後方から前方に通って、下腹部から股間部に至る範囲のいずれかにおいて前側本体部１１の上、すなわち第１の外側カバー１１１上に固着されるものとしてもよい。
【００７６】
その場合、下部前方延伸部の人体に対向する面には第３のテープファスナー１６１に相当するテープファスナーが設けられ、第１の外側カバー１１１上には第２のテープパネル１６２に相当するテープパネルが設けられ、これらのテープファスナーおよびテープパネルが下側連結部を構成することになる。さらに、その場合、上述したガード１７に代えて、第２の内側カバー１２２の下側の外縁部（第２の内側カバー１２２が第２の吸水体１２３の下側の外縁部に接している部分）に沿って第２の内側カバー１２２から人体に対向する側に延伸するギャザーもしくはフリル状のガードが設けられることが望ましい。
【００７７】
また、第１のテープファスナー１３３、第２のテープファスナー１４３、および第３のテープファスナー１６１の表面がフック状に起毛されて、第１のテープパネル１５および第２のテープパネル１６２の表面がループ状に起毛されるものとしたが、第１のテープファスナー１３３、第２のテープファスナー１４３、もしくは第３のテープファスナー１６１の表面がループ状に起毛されて、第１のテープパネル１５もしくは第２のテープパネル１６２の表面がフック状に起毛されてもよい。
【００７８】
また、上述の側部固着機構もしくは下部固着機構は、面ファスナー以外の固着機構であってもよい。例えば、前側本体部１１と後側本体部１２とを粘着テープで留めることも考えられる。
【００７９】
また、おむつ１の構成要素の各々は、例えば紙もしくは不織布を主原料として作られているとしたが、おむつ１は必ずしも使い捨て用であるとは限らないので、布製や合成樹脂製等であってもよい。
【００８０】
また、第１の吸水体１１３もしくは第２の吸水体１２３は、それらの本体を覆う片側液体浸透性のシートを備えていてもよい。そのような構成とすれば、第１の吸水体１１３もしくは第２の吸水体１２３の本体に吸収された液体が外部に漏れ出すことが容易に起こり得ず、当該液体をそれらの内部にしっかりと貯蔵することが可能となる。
【００８１】
（第２実施形態）
以下、本発明の他の一具体例である第２実施形態を、図面を用いて説明する。なお、本実施形態にかかるおむつカバー２は、本発明を繰り返し使用可能なおむつカバーに適用したものである。
【００８２】
おむつカバー２の構成は、多くの点で第１実施形態にかかるおむつ１の構成と共通している。従って、以下の説明においてはおむつカバー２がおむつ１と異なる点を中心に説明する。また、図において、おむつカバー２が備える構成部のうちおむつ１が備える構成部に対応するものについては同じ符号を付している。
【００８３】
図５は、本実施形態にかかるおむつカバー２の人体に対向する側を表した平面図である。また、図６は、本実施形態にかかるおむつカバー２の人体に対向しない側を表した平面図である。
【００８４】
まず、おむつカバー２はおむつ１と異なり吸水体を備えていない。すなわち、おむつカバー２の前側本体部１１は第１の吸水体１１３を備えず、例えば第１の外側カバー１１１と第１の内側カバー１１２により構成されている。同様に、おむつカバー２の後側本体部１２は第２の吸水体１２３を備えず、例えば第２の外側カバー１２１と第２の内側カバー１２２により構成される。
【００８５】
なお、前側本体部１１および後側本体部１２はこれらの２層による構成に限定されず、例えば１層のカバーで構成されてもよいし、３層以上のカバーで構成されてもよい。
【００８６】
上記のように、おむつカバー２の前側本体部１１および後側本体部１２がそれぞれ吸水体１１３および吸水体１２３を備えていないことに伴い、前側本体部１１および後側本体部１２はそれぞれ吸水体１１３および吸水体１２３の外縁部にガード（ガード１７を含む）を備えていない。
【００８７】
また、おむつカバー２の前側本体部１１および後側本体部１２の素材は、綿布、ポリエステル布、ウール布、それらの組み合わせなど、繰り返しの使用および洗濯に耐えうる耐久性を備えた素材である。
【００８８】
また、おむつカバー２においては、おむつ１における右側突出部１３１と右側延伸部１３２とが右側突出部１３４として一体に構成されている。そのため、後側本体部１２から右側に突出した右側突出部１３４の内側面に、第１のテープファスナー１３３が直接、縫い付け等により取り付けられている。同様に、おむつカバー２においては、おむつ１における左側突出部１４１と左側延伸部１４２とが左側突出部１４４として一体に構成されている。そのため、後側本体部１２から左側に突出した左側突出部１４４の内側面に、第２のテープファスナー１４３が直接、縫い付け等により取り付けられている。
【００８９】
なお、おむつカバー２において上記のような右側突出部１３４および左側突出部１４４に対し直接、第１のテープファスナー１３３および第２のテープファスナー１４３が取り付けられる構成が採用される理由は、おむつ１と同様の構成が採用される場合と比較し、一般的に高い耐久性が得られ易いためである。従って、十分な耐久性が得られるのであれば、おむつカバー２においておむつ１と同様に右側突出部１３１に右側延伸部１３２が取り付けられ、左側突出部１４１に左側延伸部１４２が取り付けられる構成が採用されてもよい。
【００９０】
また、おむつカバー２の後側本体部１２の内側面中央部辺りには、第４のテープファスナー１２４が縫い付け等により取り付けられている。第４のテープファスナー１２４は、以下に説明する吸水シート３を後側本体部１２に固定するために設けられている。
【００９１】
おむつカバー２は、おむつ本体の役割を果たす使い捨ての吸水シート３と共に用いられる。すなわち、おむつカバー２は吸水シート３を人体との間に挟み込んだ状態で人体をカバーする。
【００９２】
図７は、本実施形態にかかる吸水シート３の人体に対向する側を表した平面図である。また、図８は、吸水シート３の図７におけるＡ−Ａ線矢視断面図（図８（ａ））およびＢ−Ｂ線矢視断面図（図８（ｂ））である。
【００９３】
吸水シート３は、液体非浸透性を有する外側カバー３１１と、液体浸透性を有する内側カバー３１２と、外側カバー３１１と内側カバー３１２との間に配置される吸水体３１３とを備えている。
【００９４】
外側カバー３１１は、液体非浸透性を有するが、吸水体３１３から蒸気を外側へ排出することができるように非常に微小な孔が多数設けられている。外側カバー３１１の素材としては、例えば紙や不織布などが採用可能である。
【００９５】
内側カバー３１２は、液体浸透性を有するが、着用時に比較的乾いた感触を与えるように、吸水体３１３よりも親水性が低い素材を使用している。なお、内側カバー３１２は、人体に刺激を与えないように、ソフトなものであることが望ましい。内側カバー３１２の素材としても、例えば紙や不織布などが採用可能である。
【００９６】
吸水体３１３は、例えば吸水ポリマー等の吸水性の非常に高い素材で作られた多数の粒子を吸水性の高い紙もしくは不織布の間に挟み込んで構成されている。そのような構成により、吸水体３１３は、人体から排出された液体を吸収貯蔵するという機能を有する。
【００９７】
吸水体３１３の外縁部には、人体に対向する側に延伸するように、ギャザーもしくはフリル状の内側ガード３１４が設けられている。また、吸水シート３の外縁部には、人体に対向する側に延伸するように、ギャザーもしくはフリル状の外側ガード３１５が設けられている。吸水体３１３がおむつカバー２により人体に着用される際、内側ガード３１４および外側ガード３１５が弱い弾性力を持って人体側に押しつけられることにより、吸水体３１３によって吸収された液体や吸水体３１３により吸収しきれなかった排泄物の漏出を防止することが可能となる。
【００９８】
内側ガード３１４および外側ガード３１５は、例えば紙もしくは不織布を主原料として作られており、着用されていない状態で、人体に向かう方向に多数の襞を有し、着用時にはその襞が伸びて人体にフィットしつつ液体の漏出を防ぐ。
【００９９】
吸水シート３は、例えば図７に示されるように、上から見た場合に全体として瓢箪のような形状をしている。図７において、吸水シート３の上側部分が着用時に人体の腹部側に配置され、下側部分が着用時に人体の臀部側に配置される。すなわち、吸水シート３の図７における上側（面積が狭い側）は主として小便を吸収し、下側（面積が広い側）は主として大便を捕らえる。そのため、図８（ａ）に示されるように、吸水シート３の図７における上側は吸水体３１３の厚さが均一に厚く、下側は吸水体３１３の厚さが中央部において薄く形成されている。そのため、吸水シート３の図７における上側部分においては下側部分に比べ単位面積当たりの吸水能力が高く、小便の吸収に適しており、下側部分においては中央部に上側部分に比べ容量が大きい凹部が形成され、大便の捕捉に適している。
【０１００】
図９は、おむつカバー２および吸水シート３を人体に取り付ける前の状態を、人体に対向する側から見た平面図である。まず、おむつ１における場合と同様に、後側本体部１２の第１のテープファスナー１３３のみが前側本体部１１の第１のテープパネル１５の右側領域に固着した状態におむつカバー２を組み立てる。その後、吸水シート３の臀部側の外側面中央辺りを後側本体部１２の第４のテープファスナー１２４に押し付けることで、第４のテープファスナー１２４を後側本体部１２の適当な位置に固着させる。
【０１０１】
なお、吸水シート３の外側面が例えば不織布等で構成されている場合、特に吸水シート３の外側面にテープパネルを設けることなく、第４のテープファスナー１２４のフック状の突起が吸水シート３の外側面に絡み付き、位置の固定が可能となる。なお、吸水シート３の外側面の素材が第４のテープファスナー１２４と絡み合わない素材である場合、吸水シート３の外側面にテープパネルを設け、第４のテープファスナー１２４との固着を可能とすればよい。
【０１０２】
上記のようにして、図９に示した状態におむつカバー２および吸水シート３をセットすると、その後の使用方法はおむつ１に関し上述したものと同様である。
【０１０３】
本実施形態にかかるおむつカバー２および吸水シート３によれば、第１実施形態にかかるおむつ１において述べたものと同様の効果、すなわちおむつの人体への着脱の容易性が得られる。
【０１０４】
それに加え、本実施形態にかかるおむつカバー２および吸水シート３によれば、使い捨ての部分が吸水シート３のみとなり、全体が使い捨てである従来の紙おむつと比較し、コスト安、省資源およびゴミの削減が実現される。
【０１０５】
また、本実施形態にかかるおむつカバー２および吸水シート３によれば、おむつカバーで覆うべき吸水シート３のサイズが従来の紙おむつと比較して小さいため、おむつカバーで覆う領域を狭くすることができる。従って、よりスタイリッシュでデザイン性の高いおむつカバーが実現可能となる。
【０１０６】
なお、本実施形態にかかるおむつカバー２において、従来のおむつカバーと同様に、例えば季節に応じて通気性や保温性の異なる素材や構造を備えたおむつカバー２を使い分けることにより、使用者の快適性を高めることができる。さらに、本実施形態にかかるおむつカバー２において、従来のおむつカバーと同様に、使用者やその母親等の好みに応じたデザインのものを選択したり使い分けたりすることが可能となる。
【０１０７】
上述した第２実施形態もまた、本発明の技術的思想の範囲内で様々に変形が可能である。
【０１０８】
例えば、第１実施形態において述べたように、側部固着機構は右側連結部および左側連結部のいずれか一方にのみ設けられ、他方は最初から前側本体部１１と後側本体部１２とが一体に成形されその部分において連続していてもよい。
【０１０９】
また、吸水シート３から人体に対向する方向に複数のガードが設けられるものとしたが、これらの数や形状は任意に変更可能である。なお、これらのガードは排泄物の漏出防止のために設けられていることが望ましいが、使用上特に問題がなければガードが設けられなくてもよい。
【０１１０】
また、第１実施形態において述べたように、下部後方延伸部に代えて、後側本体部１２の下側から延伸する下部前方延伸部を設けて、当該下部前方延伸部が人体における股の下を後方から前方に通って、下腹部から股間部に至る範囲のいずれかにおいて前側本体部１１の上、すなわち第１の外側カバー１１１上に固着されるものとしてもよい。
【０１１１】
その場合、下部前方延伸部の人体に対向する面には第３のテープファスナー１６１に相当するテープファスナーが設けられ、第１の外側カバー１１１上には第２のテープパネル１６２に相当するテープパネルが設けられ、これらのテープファスナーおよびテープパネルが下側連結部を構成することになる。
【０１１２】
また、第１のテープファスナー１３３、第２のテープファスナー１４３、および第３のテープファスナー１６１の表面がフック状に起毛されて、第１のテープパネル１５および第２のテープパネル１６２の表面がループ状に起毛されるものとしたが、第１のテープファスナー１３３、第２のテープファスナー１４３、もしくは第３のテープファスナー１６１の表面がループ状に起毛されて、第１のテープパネル１５もしくは第２のテープパネル１６２の表面がフック状に起毛されてもよい点も、第１実施形態と同様である。
【０１１３】
また、上述の側部固着機構もしくは下部固着機構は、面ファスナー以外の固着機構であってもよい。
【０１１４】
また、吸水体３１３は、それらの本体を覆う片側液体浸透性のシートを備えていてもよい。そのような構成とすれば、吸水体３１３の本体に吸収された液体が外部に漏れ出すことが容易に起こり得ず、当該液体をそれらの内部にしっかりと貯蔵することが可能となる。
【０１１５】
また、吸水シート３の形状は様々に変更可能である。例えば、上から見た場合の形状が瓢箪形に限られず、矩形や楕円形などであってもよい。
【０１１６】
また、上述した第２実施形態においては、後側本体部１２に設けられた第４のテープファスナー１２４に対し吸水シート３を固定する構成が採用されるものとして説明したが、吸水シート３のおむつカバー２に対する固定の方法はそれに限られない。例えば吸水シート３の両側方に外側カバー３１１を延伸させ、延伸させた外側カバー３１１部分の外側（おむつカバー２に対向する側）に粘着剤を塗布等した粘着部を設け、使用時にその粘着部をおむつカバー２（例えば後側本体部１２）の内側面に貼り付けることにより、吸水シート３のおむつカバー２に対する固定を行う構成が採用されてもよい。
【０１１７】
さらに、おむつカバー２により吸水シート３を人体に対し押し当てた際のおむつカバー２と吸水シート３との摩擦および吸水シート３と人体との摩擦によって、着用中に吸水シート３がずれなければ、おむつカバー２に対する吸水シート３の固定は必ずしも必要ではない。その場合、後側本体部１２は第４のテープファスナー１２４を備えなくてもよい。
【０１１８】
おむつカバー２に対する吸水シート３の固定を必要としない場合、おむつカバー２および吸水シート３の人体への着用方法は例えば次のようになる。まず、後側本体部１２の第１のテープファスナー１３３のみが前側本体部１１の第１のテープパネル１５の右側領域に固着した状態におむつカバー２を組み立てる。
【０１１９】
続いて、そのように組み立てたおむつカバー２の前側本体部１１および後側本体部１２が各々、人体の下腹部および臀部を覆うように、人体の右側からおむつカバー２をあてがう。その状態で、左側突出部１４４を人体の左側後方から人体の左前方に引っ張りながら、第２のテープファスナー１４３を第１のテープパネル１５の左側領域に固着させる。その結果、身体の前側に前側本体部１１がぶら下がり、身体の後側に後側本体部１２がぶら下がることになる。
【０１２０】
次に、臀部側から人体の適当な位置に吸水シート３を押し付け、すぐさま後側本体部１２の下側の部分を股の下の前側に押しやりつつ、前側本体部１１から下側に延伸している下部後方延伸部を股の下を通して前側から後側に巻き付けるようにして引っ張り上げ、第３のテープファスナー１６１を第２のテープパネル１６２に押し当てて固着する。
【０１２１】
ところで、吸水シート３は、人体に対し適度に粘着することがずれ防止の観点から望ましい。特に、吸水シート３をおむつカバー２に固定しない態様においてはずれ防止の必要性が高い。そのため、吸水シート３の人体に接触する部分に、人体に対する低粘着性を備えた素材が用いられてもよい。
【産業上の利用可能性】
【０１２２】
本発明にかかるおむつもしくはおむつシートおよび吸水シートによれば、乳幼児のみならず、高齢の人や病人のおむつの取り付け作業も容易に行うことができる。
【０１２３】
１…おむつ、２…おむつカバー、３…吸水シート、１１…前側本体部、１１１…第１の外側カバー、１１２…第１の内側カバー、１１３…第１の吸水体、１２…後側本体部、１２１…第２の外側カバー、１２２…第２の内側カバー、１２３…第２の吸水体、１２４…第４のテープファスナー、１３１…右側突出部、１３２…右側延伸部、１３３…第１のテープファスナー、１３４…右側突出部、１４１…左側突出部、１４２…左側延伸部、１４３…第２のテープファスナー、１４４…左側突出部、１５…第１のテープパネル、１６１…第３のテープファスナー、１６２…第２のテープパネル、１７…ガード、３１１…外側カバー、３１２…内側カバー、３１３…吸水体、３１４…内側ガード、３１５…外側ガード
【図１】
2011072778.tif 000003
【図２】
2011072778.tif 000004
【図３】
2011072778.tif 000005
【図４】
2011072778.tif 000006
【図５】
2011072778.tif 000007
【図６】
2011072778.tif 000008
【図７】
2011072778.tif 000009
【図８】
2011072778.tif 000010
【図９】
2011072778.tif 000011